(57)【要約】【課題】既設サッシの室外側に大きな取付け空間を必要とせず、新規サッシ枠の取付け作業が確実に行える改装窓を提供する。【解決手段】既設サッシＡの下枠４の室外側片１２ａに、新規サッシ枠Ｂの取付枠部４０の下枠４２に設けた第２引っ掛け部５０を引っ掛け、その状態で、新規サッシ枠Ｂを室内側に起こし、前記下枠４２に設けた第１引っ掛け部４９を既設サッシＡの下枠４の外レール１０に引っ掛ける。そして、新規サッシ枠Ｂの取付枠部４０の左右竪枠４３，４４、上枠４１と既設サッシＡの対応する竪枠５，６、上枠３とをサッシ取付部材７０を介して結合し、新規サッシ枠Ｂの室内側に既設サッシＡの上下枠３，４、左右竪枠５，６を覆い隠す内枠部材８０〜８３を取り付ける。【選択図】　図１
2004100174.tif 000002
【特許請求の範囲】
【請求項１】
障子の嵌め込まれる嵌め込み枠部の外周を取り囲むように取付枠部を取り付けて新規サッシ枠を構成し、既設サッシの下枠の外レールと室外側片とに、新規サッシ枠の取付枠部の下枠に設けた引っ掛け部を夫々係合し、新規サッシ枠の取付枠部の左右竪枠、上枠と、既設サッシの対応する竪枠、上枠とを、サッシ取付部材を介して結合して既設サッシの室外側に新規サッシ枠を取り付け、その新規サッシ枠の室内側に既設サッシの上下枠、左右竪枠を覆い隠す内枠部材を取り付けたことを特徴とする改装窓。
【請求項２】
新規サッシ枠の取付枠部の左右竪枠の結合片を既設サッシの対応する竪枠の室外側片の室外側面に当て付け、サッシ取付部材の一方の取付部を既設サッシの竪枠の室外側片の室内側面に当て、サッシ取付部材の他方の取付部を新規サッシ枠の対応する取付枠部の竪枠の取付部に結合して、サッシ取付部材と新規サッシ枠の取付枠部の左右竪枠との間に既設サッシの対応する竪枠の室外側片を挟み込み、取付枠部の竪枠とサッシ取付部材とを室内側からの結合ビスで連結したことを特徴とする請求項１記載の改装窓。
【発明の詳細な説明】
【０００１】
【発明の属する技術分野】
本発明は、既設サッシの室外側に新規サッシ枠を取り付けて成る改装窓に関する。
【０００２】
【従来の技術】
従来、特許文献１には、既設サッシの下枠の網戸レールに、外付けサッシ（新規サッシ枠）の取付枠部の下枠部に設けた引っ掛け部を係止し、既設サッシの他の枠と外付けサッシの他の枠部とを、サッシ取付部材で結合して、既設サッシの室外側に外付けサッシを増設したものが記載されている。特許文献２には、サッシ保持枠は、サッシ枠（新規サッシ枠）の取付け部を備えた外枠部と既設の旧サッシ枠に重合する内枠部とから成り、そのサッシ保持枠の外枠部に新しいサッシ枠を取付け保持した状態で、旧サッシ枠内に内枠部を嵌合固定することにより、新しいサッシ枠が旧サッシ枠の室外側に取付けられたものが記載されている。
【０００３】
【特許文献１】
特開２００２−１０６２６１号公報
【特許文献２】
特開昭５９−９６３７８号公報
【０００４】
【発明が解決しようとする課題】
特許文献１に記載されたものでは、既設サッシの下枠の網戸レールに、外付けサッシの取付枠部の下枠に設けた引っ掛け部を引っ掛け、その状態で、外付けサッシを室内側に起こした後、既設サッシの他の枠と外付けサッシの他の枠部とを、サッシ取付部材で結合するようになっている。ところが、強度の弱い網戸レールを使って外付けサッシを室内側に起こそうとすると、網戸レールが折れたり、曲がったりする場合があり、外付けサッシの上枠、左右竪枠の室内側端が、対応する既設サッシの上枠、左右竪枠の室外側片の室外側面に当て付けることができないおそれがあった。次に、特許文献２に記載されたものでは、内枠部が外枠部の室内側に一体に形成されており、その内枠部を既設の旧サッシ枠の内部空間に内枠部を嵌め込まなければ、外枠部に取付けた新しいサッシ枠を既設の旧サッシ枠の室外側に取り付けることができない。よって、既設サッシ枠の室外側に、サッシ保持枠の室内外方向長さより長い取付け空間が必要となると共に、サッシ保持枠の取付け移動距離が長くなるために、作業者が安全に新しいサッシ枠の取付け作業ができないおそれがあった。そこで、本発明の課題は、既設サッシの室外側に大きな取付け空間を必要とせず、新規サッシ枠の取付け作業が確実に行える改装窓を提供することである。
【０００５】
【課題を解決するための手段】
上記課題解決のため、本願では、障子の嵌め込まれる嵌め込み枠部の外周を取り囲むように取付枠部を取り付けて新規サッシ枠を構成し、既設サッシの下枠の外レールと室外側片とに、新規サッシ枠の取付枠部の下枠に設けた引っ掛け部を夫々係合し、新規サッシ枠の取付枠部の左右竪枠、上枠と、既設サッシの対応する竪枠、上枠とを、サッシ取付部材を介して結合して既設サッシの室外側に新規サッシ枠を取り付け、その新規サッシ枠の室内側に既設サッシの上下枠、左右竪枠を覆い隠す内枠部材を取り付けた。
【０００６】
具体的には、新規サッシ枠の取付枠部の左右竪枠の結合片を既設サッシの対応する竪枠の室外側片の室外側面に当て付け、サッシ取付部材の一方の取付部を既設サッシの竪枠の室外側片の室内側面に当て、サッシ取付部材の他方の取付部を新規サッシ枠の対応する取付枠部の竪枠の取付部に結合して、サッシ取付部材と新規サッシ枠の取付枠部の左右竪枠との間に既設サッシの対応する竪枠の室外側片を挟み込み、取付枠部の竪枠とサッシ取付部材とを室内側からの結合ビスで連結した。
【０００７】
【発明の実施の形態】
実施の形態について図面を参照して説明する。図１は、既設サッシＡの室外側に新規サッシ枠Ｂを取り付けて成る改装窓１を示す。駆体開口部２には、上下枠３，４、左右竪枠５，６を枠組みした既設サッシＡが嵌め込まれている。下枠４には、上枠３の内外案内片７，８に対応する内外レール９，１０と、上枠３の網戸レール１１に対応する網戸案内溝１２が形成されている。網戸案内溝１２の室外側片１２ａは、上枠３の網戸レール１１より室外側に形成されている。また、上枠３の網戸レール１１の室内側には室外側片１３が形成されており、その室外側片１３と室内外方向の位相を同じくして、左右竪枠５，６には夫々室外側片１４，１５が設けられている。
【０００８】
次に新規サッシ枠Ｂについて説明する。新規サッシ枠Ｂは、障子（図示しない）の嵌め込まれる嵌め込み枠部２０の外周を取り囲むように取付枠部４０を一体に取り付けたものである。嵌め込み枠部２０は、上下枠２１，２２、左右竪枠２３，２４を枠組みして構成される。下枠２２は、階段状に形成され、内外障子用のレール２５，２６を備えている。これらのレール２５，２６と室内外方向位相を同じくして、上枠２１には内外の案内垂片２７，２８が垂下され、内外レール２５，２６と対応する案内垂片２７，２８との間に、内外障子（図示しない）が移動自在に嵌め込まれる。そして、下枠２２の室内側端には、既設サッシＡの下枠４を覆い隠す内枠部材８０の一端がネジ部材９１により取り付けられる。内枠部材８０のもう一端は、駆体開口部２にネジ９２により取り付けられる。
【０００９】
取付枠部４０は、嵌め込み枠部２０と同様に上下枠４１，４２、左右竪枠４３，４４を枠組みして構成される。下枠４２は、嵌め込み枠部２０の下枠２２の下方を室外側に延びた前部底壁４５と室内側に延びた後部底壁４６とが２つの垂直結合壁４７，４８で結合されたものである。前部底壁４５の室外側端は、嵌め込み枠部２０の下枠２２の室外側に形成された垂直取付片３０に結合され、室内側には、嵌め込み枠部２０の下枠２２に形成された第１取付片３１が結合されている。前部底壁４５には、長手方向に所定ピッチでアジャスタ１００がねじ込まれており、その高さを調整することで、駆体開口部２の下面に形成された傾斜面２Ａを介して前部底壁４５を下方から支持し、嵌め込み枠部２０の重量を支えている。後部底壁４６の室内外方向中間位置には、嵌め込み枠部２０の下枠２２に形成された第２取付片３２が結合されている。後部底壁４６の室内側端は上方へ立ち上がる立ち上げ片となっており、その上端が、第１鉤状引っ掛け部４９に形成されている。この第１引っ掛け部４９は、既設サッシＡの下枠４の外レール１０に引っ掛けられる。第１鉤状引っ掛け部４９の先端は、後述のように第２引っ掛け部５０を利用して新規サッシ枠Ｂを室内側に起こす時に、外レール１０に係止し易いように、室内側方向に向けて拡がる案内部４９ａとなっている。そして、室内側の垂直結合壁４７の室内側には、下方へ延びる突出片５０ａが設けられており、その下端が、第２鉤状引っ掛け部５０に形成されている。この第２引っ掛け部５０は、既設サッシＡの下枠４の室外側片１２ａに引っ掛けられる。
【００１０】
取付枠部４０の上枠４１は、嵌め込み枠部２０の上枠２１の上方を室外側に延びた庇部５１の室内側部分が垂直な結合片５２となっており、その結合片５２の下端部に室内側に突出した中空矩形断面を成す取付部５３が一体成形されている。庇部５１の室外側端は、嵌め込み枠部２０の上枠２１に形成された第１取付片３３に結合され、室内側端には、嵌め込み枠部２０の上枠２１に形成された第２取付片３４が結合されている。そして、取付部５３下面には、既設サッシＡの上枠３を覆い隠す内枠部材８１がネジ部材９３により取り付けられる。次に、取付枠部４０の左右竪枠４３，４４は左右対称である。左右竪枠４３，４４は、嵌め込み枠部２０の竪枠２３，２４の側方を室内側に延びる室内側壁５５，５６の室内側部分に、中空鉤状断面を成す取付部５７，５８が一体成形されており、その取付部５７，５８の段部分が結合片５９，６０となっている。室外側壁５５，５６の室外側端は、嵌め込み枠部２０の竪枠２３，２４に形成された第１取付片３５，３６に結合され、室内側端には、嵌め込み枠部２０の竪枠２３，２４に形成された第２取付片３７，３８が結合されている。そして、取付部５７，５８の窓枠開口内側面には、既設サッシＡの竪枠５，６を覆い隠す内枠部材８２，８３がネジ部材９４により取り付けられる。
【００１１】
新規サッシ枠Ｂの取付枠部４０の上枠４１、左右竪枠４３，４４を、対応する既設サッシＡの上枠３、竪枠５，６に結合するためのサッシ取付部材７０ａ〜７０ｃは、既設サッシＡの上枠３、竪枠５，６の室外側片１３，１４，１５の室内側面に当て付けられる一方の取付部７１と、その取付部７１に対して直角、室内方向に延びる中間部７２と、その中間部７２の室内側端から窓枠開口内側に突出した他方の取付部７３とから成る。サッシ取付部材７０ａ〜７０ｃの他方の取付部７３を新規サッシ枠Ｂの取付枠部４０の上枠４１、左右竪枠４３，４４の取付部５３，５７，５８の室内側面に対向させ、室内側から結合ビス７４で連結してある。このことから、取付枠部４０の上枠４１に取り付けられるサッシ取付部材７０ａの一方の取付部７１と取付枠部４０の上枠４１の結合片５２との間には、既設サッシＡの対応する上枠３の網戸レール１１と室外側片１３とが挟み込まれる。取付枠部４０の竪枠４３，４４に取付けられるサッシ取付部材７０ｂ，７０ｃの一方の取付部７１と取付枠部４０の竪枠４３，４４の結合片５９，６０との間には、既設サッシＡの対応する竪枠５，６の室外側片１４，１５が挟み込まれる。そして、既設サッシＡの竪枠５，６の室外側片１４，１５を挟み込んだ取付枠部４０の竪枠４３，４４とサッシ取付部材７０ｂ，７０ｃとを室内側から結合ビス７５で連結してある。尚、上枠３のサッシ取付部材７０ａは、両端が左右竪枠５，６のサッシ取付部材７０ｂ，７０ｃと連続する長さであり、左右竪枠５，６のサッシ取付部材７０ｂ，７０ｃの下端は、嵌め込む枠部２０の下枠２２の室内側端上面までとなっている。
【００１２】
次に、既設サッシＡに新規サッシ枠Ｂを取り付ける方法を説明する。予め、嵌め込み枠部２０の外周を取り囲むように取付枠部４０が取り付けられて新規サッシ枠Ｂを形成してある。既設サッシＡの下枠４の室外側片１２ａに、新規サッシ枠Ｂの取付枠部４０の下枠４２に形成した第２引っ掛け部５０を室外側斜め上方から引っ掛け（図３）、その状態で、新規サッシ枠Ｂを室内側に起こし、取付枠部４０の上枠４１の結合片５２を既設サッシＡの上枠３の網戸レール１１の室外側面に、取付枠部４０の左右竪枠４３，４４の結合片５９，６０を対応する既設サッシＡの竪枠５，６の室外側片１４，１５の室外側面に夫々当てると共に、取付枠部４０の下枠４２に形成した第１引っ掛け部４９を、既設サッシＡの下枠４の外レール１０に引っ掛ける。こうして、取付枠部４０の上枠４１、左右竪枠４３，４４の結合片５２，５９，６０を対応する既設サッシＡの上枠３の網戸レール１１の室外側面、竪枠５，６の室外側片１４，１５の室外側面に当て付けた状態で、先ず、上枠４１を固定する作業を行う。
【００１３】
サッシ取付部材７０ａの他方の取付部７３を、取付枠部４０の上枠４１の取付部５３の室内側面に対向させ、室内側から連結ビス７４で両者７３，５３を連結して、サッシ取付部材７０ａの一方の取付部７１を上枠３の室外側片１３の室内側面に当て付ける。このことから、サッシ取付部材７０ａと新規サッシ枠Ｂの取付枠部４０の上枠４１との間に、既設サッシＡの上枠３の網戸レール１１と室外側片１３とが挟み込まれて、新規サッシ枠Ｂと既設サッシＡが結合される。同様の作業を既設サッシＡの左右竪枠５，６と新規サッシ枠Ｂの取付枠部４０の左右竪枠４３，４４との間でも行い、サッシ取付部材７０ｂ，７０ｃと新規サッシ枠Ｂの取付枠部４０の竪枠４３，４４との間に、既設サッシＡの対応する竪枠５，６の室外側片１４，１５が挟み込まれて、新規サッシ枠Ｂと既設サッシＡが結合される。また、既設サッシＡの竪枠５，６の室外側片１４，１５を挟み込んだ取付枠部４０の竪枠４３，４４とサッシ取付部材７０ｂ，７０ｃとを室内側から結合ビス７５で連結することで、既設サッシＡに新規サッシ枠Ｂをより密着させる。その後、新規サッシ枠Ｂの嵌め込み枠部２０の下枠２２、取付枠部４０の上枠４１、取付枠部４０の左右竪枠４３，４４に既設サッシＡの上下枠３，４、左右竪枠５，６を覆い隠す内枠部材８０〜８３が夫々取り付けられる。
【００１４】
上記のように、新規サッシ枠Ｂが既設サッシＡの室外側に取付けられた後、室外側から新設サッシ枠Ｂに内外障子（図示しない）を取付ける。そして、新規サッシ枠Ｂの取付枠部４０、内枠部材８１〜８３周囲にバックアップ材及びシーリング材から成る充填材９０を充填してコーキングを行う。こうして既設サッシＡの室外側に新規サッシ枠Ｂが取付けられた改装窓１が構成される。このことから、既設サッシＡの室外側に新規サッシ枠Ｂを取り付ける時に、既設サッシＡの下枠４の室外側片１２ａに、新規サッシ枠Ｂに設けた第２引っ掛け部５０を引っ掛け、その状態で、新規サッシ枠Ｂを室内側に起こすと、新規サッシ枠Ｂに設けた第１引っ掛け部４９が直ちに既設サッシＡの下枠４の外レール１０に引っ掛けられるので、確実に新規サッシ枠Ｂの上枠４０、左右竪枠４３，４４の結合片５２，５９，６０を、対応する既設サッシＡの上枠３の網戸レール１１の室外側面、左右竪枠５，６の室外側片１４，１５の室外側面に夫々当てることができる。また、既設サッシＡの上下枠３，４、左右竪枠５，６を覆い隠す内枠部材８０〜８３を、新規サッシ枠Ｂの嵌め込み枠部２０、取付枠部４０に夫々取り付けるようにしたので、従来に比べ、新規サッシ枠Ｂの取付け移動距離が短くなり、作業者が安全に新規サッシ枠Ｂの取付け作業が行える。
【００１５】
【発明の効果】
以上のように本願では、既設サッシの下枠の室外側片、外レールに、新規サッシ枠の取付枠部に設けた第１，２引っ掛け部を係止するようにしたので、既設サッシに新規サッシ枠を取付けることが確実に行える。また、既設サッシの上下枠、左右竪枠を覆い隠す内枠部材を、既設サッシに新規サッシ枠を取り付けた後に取り付けるようにしたので、既設サッシの室外側に設ける新規サッシ枠の取付け移動空間を少なくでき、作業性が向上する。
【図面の簡単な説明】
【図１】既設サッシの室外側に新規サッシ枠を取り付けた改装窓の縦断面図である。
【図２】図１の横断面図である。
【図３】新規サッシ枠の取付作業を示す図である。
【符号の説明】
１　　改装窓
３　　上枠
４　　下枠
５　　左竪枠
６　　右竪枠
１０　　外レール
１２ａ　室外側片
１４　　室外側片
１５　　室外側片
２０　　嵌め込み枠部
４０　　取付枠部
４１　　上枠
４２　　下枠
４３　　左竪枠
４４　　右竪枠
４９　　第１引っ掛け部
５０　　第２引っ掛け部
５９　　結合片
６０　　結合片
７０　　サッシ取付部材
７１　　一方の取付部
７３　　他方の取付部
７５　　結合ビス
８０〜８３　内枠部材
Ａ　　既設サッシ
Ｂ　　新規サッシ枠
【図１】
2004100174.tif 000003
【図２】
2004100174.tif 000004
【図３】
2004100174.tif 000005